(57)【要約】【課題】携帯電話機のハンズフリー通話システムにおいて、一つの近距離無線通信装置を配置するのみで車室内の携帯電話機の位置を自動的に特定し、携帯電話の位置によりハンズフリー通話・ハンドセット通話のどちらかに切り替える。【解決手段】各座席位置ごとに別けて切り替えることができる無線アンテナ６０（指向性アンテナ６１、６２、６３、６４）を持ったブルートゥース通信部５０を設け、携帯電話機２００の位置を探索するときは、各指向性アンテナを順に切り替えて携帯電話機２００と通信を試み、携帯電話機２００からの信号が最もよく感知した指向性アンテナに対応する領域に携帯電話機２００が位置していると特定し、運転席で検出したときはハンズフリー通話に自動的に設定される。【選択図】図１
2005354312.tif 000002
【特許請求の範囲】
【請求項１】
車両に備え付けられたハンズフリー装置と、
前記ハンズフリー装置を用いてハンズフリー通話することができる携帯電話機とを備え、
前記ハンズフリー装置は、
前記携帯電話機との間で無線通信を行う無線通信手段と、
前記携帯電話機の車室内の位置を特定する位置特定手段と、
前記携帯電話機の車室内の位置により、前記携帯電話機の通話をハンズフリー通話又はハンドセット通話に切り替える通信制御手段とを備え、
前記位置特定手段は、前記携帯電話機の位置を探索するときには、前記無線通信手段の通信範囲を分割し、当該分割された領域ごとに前記携帯電話機との通信を試みることにより位置を特定することを特徴とする車両の無線通話システム。
【請求項２】
前記位置特定手段は、前記携帯電話機の位置を特定した後は、前記無線通信手段に対して当該携帯電話機の位置に対応する前記分割された通信範囲を使用して無線通信を行わせるとともに、定期的に前記分割された領域ごとに車室内全域に対して前記携帯電話機と通信を試み、前記携帯電話機が移動していないかを確認することを特徴とする請求項１に記載の車両の無線通話システム。
【請求項３】
前記無線通信手段は、一定の方向からの無線信号の感度が向上された指向性アンテナを、車室内全域をカバーするように複数配置し、    
前記位置特定手段は、前記複数の指向性アンテナからの受信信号を比較することにより前記携帯電話機の位置を特定することを特徴とする請求項１又は２に記載の車両の無線通話システム。
【請求項４】
前記無線通信手段は、Ｂｌｕｅｔｏｏｔｈ方式に基づく通信プロトコルに従って無線通信を行い、
前記携帯電話機は、前記Ｂｌｕｅｔｏｏｔｈ方式の通信に対応することを特徴とする請求項１〜３のいずれかに記載の車両の無線通話システム。
【請求項５】
前記ハンズフリー装置は、前記携帯電話機を認識するために当該携帯電話機の固有の識別番号を登録する登録手段と、    
前記位置特定手段が前記登録された携帯電話機を複数検出した場合は、その中から一つの携帯電話機を選択して通信を行う選択手段とを備えることを特徴とする請求項１〜４のいずれかに記載の車両の無線通話システム。
【請求項６】
前記選択手段は、前記一つの携帯電話機を選択した場合であって、その後別の携帯電話機を選択し直すことが可能な請求項５に記載の車両の無線通話システム。
【請求項７】
前記通信制御手段は、前記位置特定手段が前記選択された携帯電話機を運転席に検出したときはハンドセット通話を禁止してハンズフリー通話のみに制限し、運転席以外の席に検出したときはハンドセット通話を許可することを特徴とする請求項１〜６のいずれかに記載の車両の無線通話システム。
【請求項８】
携帯電話機との間で無線通信を行う無線通信手段と、
前記携帯電話機の車室内の位置を特定する位置特定手段と、
前記携帯電話機の車室内の位置により、前記携帯電話機の通話をハンズフリー通話又はハンドセット通話に切り替える通信制御手段とを備え、
前記位置特定手段は、前記携帯電話機の位置を探索するときには、前記無線通信手段の通信範囲を分割し、当該分割された領域ごとに前記携帯電話機との通信を試みることにより位置を特定することを特徴とするハンズフリー装置。
【請求項９】
前記位置特定手段は、前記携帯電話機の位置を特定した後は、前記無線通信手段に対して当該携帯電話機の位置に対応する前記分割された通信範囲を使用して無線通信を行わせるとともに、定期的に前記分割された領域ごとに車室内全域に対して前記携帯電話機と通信を試み、前記携帯電話機が移動していないかを確認することを特徴とする請求項８に記載のハンズフリー装置。
【請求項１０】
前記無線通信手段は、一定の方向からの無線信号の感度が向上された指向性アンテナを、車室内全域をカバーするように複数配置し、    
前記位置特定手段は、前記複数の指向性アンテナからの受信信号を比較することにより前記携帯電話機の位置を特定することを特徴とする請求項８又は９に記載のハンズフリー装置。
【請求項１１】
前記無線通信手段は、Ｂｌｕｅｔｏｏｔｈ方式に基づく通信プロトコルに従って無線通信を行うことを特徴とする請求項８〜１０のいずれかに記載のハンズフリー装置。
【請求項１２】
前記携帯電話機を認識するために当該携帯電話機の固有の識別番号を登録する登録手段と、       
前記位置特定手段が前記登録された携帯電話機を複数検出した場合は、その中から一つの携帯電話機を選択して通信を行う選択手段とを備えることを特徴とする請求項８〜１１のいずれかに記載のハンズフリー装置。
【請求項１３】
前記選択手段は、前記一つの携帯電話機を選択した場合であって、その後別の携帯電話機を選択し直すことが可能な請求項１２に記載のハンズフリー装置。
【請求項１４】
前記通信制御手段は、前記位置特定手段が前記選択された携帯電話機を運転席に検出したときはハンドセット通話を禁止してハンズフリー通話のみに制限し、運転席以外の席に検出したときはハンドセット通話を許可することを特徴とする請求項８〜１３のいずれかに記載のハンズフリー装置。
【発明の詳細な説明】
【技術分野】
【０００１】
本発明は、携帯電話機とハンズフリー装置とを近距離無線通信手段により接続する車両の無線通話システム及びハンズフリー装置に関する。
【背景技術】
【０００２】
近年、車室内に持ち込まれた携帯電話機のハンズフリー通話システムに関して、携帯電話機をハンズフリー装置に直接接続せず、ブルートゥース通信などの近距離無線通信手段を用いてこれらの間に無線通話回線を確立しハンズフリー通話を実現するシステムが知られている（特許文献１）。この特許文献１に記載のハンズフリー通話システムは、複数の無線センサと着座センサ等各種センサを用いることによって携帯電話機の位置及びユーザーの座席位置や車両の走行状態を検出し、この検出結果により自動的に携帯電話機の機能を制限するというものである。これにより、例えば最初は運転席に携帯電話機を持ち込まれたためハンズフリー通話のみに制限された場合であっても、その後他の乗員が電話をするためにその携帯電話機を移動させた場合には、通常のハンドセット通話に自動的に切り替えられ、ユーザーにとっては随分使い勝手の良いシステムとなっている。
【特許文献１】特開平１５−１０２０５８号公報
【発明の開示】
【発明が解決しようとする課題】
【０００３】
しかし、上記特許文献１に記載のハンズフリー通話システムでは、ハンズフリー通話用の近距離無線通信装置（ブルートゥース通信装置）とは別に、車室内の携帯電話機の位置を特定するための無線センサや着座センサを用いているためシステムが複雑になる。
【０００４】
本発明は、かかる問題点を鑑みてなされたものであり、一つの近距離無線通信装置を配置するのみで車室内の携帯電話機の位置を特定することが可能な簡素で実用的な無線通話システム及びこのシステムを実現するハンズフリー装置を提供することを目的とする。
【課題を解決するための手段】
【０００５】
請求項１に記載の無線通話システムは、車両に備え付けられたハンズフリー装置と、ハンズフリー装置を用いてハンズフリー通話することができる携帯電話機とを備え、ハンズフリー装置は、携帯電話機との間で無線通信を行う無線通信手段と、携帯電話機の車室内の位置を特定する位置特定手段と、携帯電話機の車室内の位置により、携帯電話機の通話をハンズフリー通話又はハンドセット通話に切り替える通信制御手段とを備え、位置特定手段は、携帯電話機の位置を探索するときには、無線通信手段の通信範囲を分割し、当該分割された領域ごとに携帯電話機との通信を試みることにより位置を特定することを特徴としている。
【０００６】
このように請求項１に記載の無線通話システムでは、携帯電話機とハンズフリー装置との間を無線通信により接続しハンズフリー通話を実現しているが、この無線通信を行う無線通信手段は同時に車室内の携帯電話機の位置を特定するときにも使われている。携帯電話機の位置を特定するときには、この無線通信手段は車室内の通信範囲を分割し（例えば、各座席ごとに分割する）、その分割された通信範囲ごとで携帯電話機と通信を試み、各通信範囲の強度から携帯電話機の位置を特定することができる。そして、携帯電話機の位置により携帯電話機をハンズフリー通話しかできなくしたり又は通常のハンドセット通話を許可したりすることができる。これにより、携帯電話機の位置を特定するために複数の無線センサ等を装備することなく、例えば、運転席に携帯電話機が持ち込まれたときはそれを検知し自動的にハンズフリー通話しかできなくしたり、又は運転席以外の席に持ち込まれたと検知したときは通常のハンドセット通話を許可する、という簡素で実用的な無線通話システムが実現できる。
【０００７】
請求項２に記載の無線通話システムは、位置特定手段は、携帯電話機の位置を特定した後は、無線通信手段に対して当該携帯電話機の位置に対応する分割された通信範囲を使用して無線通信を行わせるとともに、定期的に分割された領域ごとに車室内全域に対して携帯電話機と通信を試み、携帯電話機が移動していないかを確認することを特徴とする。
【０００８】
このように請求項２に記載の無線通話システムでは、車室内に持ち込まれた携帯電話機の位置を特定した後は、その携帯電話機の位置に対応する分割された通信範囲でハンズフリー装置はその携帯電話機とのみ通信を行いハンズフリー通話を実現する。その後、最初に携帯電話機の位置を特定した方法と同じ方法で、定期的に分割された領域ごとに車室内全域に対して携帯電話機と通信を試み、携帯電話機が移動していないかを確認する。これにより、例えば、最初は運転席に携帯電話機が持ち込まれてハンズフリー通話に設定された場合であっても、その後別の乗員がその携帯電話機を使うために移動させた場合には、それを検知して自動的にハンズフリー通話モードを解除し、通常のハンドセット通話が可能とすることができ、ユーザーにとって使い勝手の良いハンズフリー通話システムが実現できる。
【０００９】
また、上記の通信範囲を分割する手段としては、請求項３に記載の無線通話システムでは、無線通信手段は、一定の方向からの無線信号の感度が向上された指向性アンテナを、車室内全域をカバーするように複数配置し、位置特定手段は、複数の指向性アンテナからの受信信号を比較することにより携帯電話機の位置を特定している。これにより例えば、各座席方向に指向性を持ったアンテナを各座席分配置すれば、携帯電話機がどの座席に持ち込まれたか又は移動したかを特定することができる。
【００１０】
請求項４に記載の無線通話システムは、無線通信手段は、Ｂｌｕｅｔｏｏｔｈ方式に基づく通信プロトコルに従って無線通信を行い、携帯電話機は、Ｂｌｕｅｔｏｏｔｈ方式の通信に対応することを特徴とする。Ｂｌｕｅｔｏｏｔｈ（登録商標、以下は省略する）方式は、無線通信プロトコルの一種であり、通信回路の小型化・低消費電力化が可能であることから近年注目を集めている。このＢｌｕｅｔｏｏｔｈ方式に基づく無線通信を用いることにより、携帯電話機やハンズフリー装置を小型化し、消費電力を抑えることが可能となる。
【００１１】
また、請求項５に記載のハンズフリー装置は、携帯電話機を認識するために携帯電話機の固有の識別番号を登録する登録手段と、位置特定手段が登録された携帯電話機を複数検出した場合は、その中から一つの携帯電話機を選択して通信を行う選択手段とを備えることを特徴とする。これにより、携帯電話機が車室内に複数持ち込まれた場合であっても、ハンズフリー装置はこれらを識別し、その中から一つの携帯電話機を選択して無線通信回線を確立し、その選択された携帯電話機とのみ無線通信をする。その選択方法としては、あらかじめ特定の携帯電話機の識別番号をハンズフリー装置側に登録しておき、その携帯電話機が車室内に持ち込まれた場合には自動的にその携帯電話機と無線通信回線を確立するものや、又は複数の登録された携帯電話機を検知した場合にはその中からユーザーがどの携帯電話機と無線通信を行うかを選択する方法などが考えられる。
【００１２】
さらに、請求項６に記載の無線通話システムでは、一旦一つの携帯電話機を選択した場合であっても、その後別の携帯電話機を選択し直してハンズフリーに設定することができる。別の携帯電話機に選択し直すには、一旦無線通信回線を切断し再度携帯電話機の探索を実施すれば良い。
【００１３】
請求項７に記載の無線通話システムでは、通信制御手段は、位置特定手段が選択された携帯電話機を運転席に検出したときはハンドセット通話を禁止してハンズフリー通話のみに制限し、運転席以外の席に検出したときはハンドセット通話を許可することを特徴とする。これにより、運転席の位置に携帯電話機を検知したときは、ドライバーがその携帯電話機を持っていると判断してハンズフリー通話でしか携帯電話機を使用できなくし、運転席以外の席で携帯電話機を検知したときは、ドライバー以外の乗員が持っていると判断して通常のハンドセット通話をすることができる。
【００１４】
請求項８に記載のハンズフリー装置は、携帯電話機との間で無線通信を行う無線通信手段と、携帯電話機の車室内の位置を特定する位置特定手段と、携帯電話機の車室内の位置により、携帯電話機の通話をハンズフリー通話又はハンドセット通話に切り替える通信制御手段とを備え、位置特定手段は、携帯電話機の位置を探索するときには、無線通信手段の通信範囲を分割し、当該分割された領域ごとに携帯電話機との通信を試みることにより位置を特定することを特徴とする。
【００１５】
このように請求項８に記載のハンズフリー装置では、携帯電話機との間を無線通信により接続しハンズフリー通話を実現する無線通信手段を有しており、さらにこの無線通信手段は車室内の携帯電話機の位置を特定するときにも使われている。携帯電話機の位置を特定するときには、この無線通信手段は車室内の通信範囲を分割し（例えば、各座席ごとに分割する）、その分割された通信範囲ごとで携帯電話機と通信を試み、各通信範囲の強度から携帯電話機の位置を特定することができる。そして、携帯電話機の位置により携帯電話機をハンズフリー通話しかできなくしたり又は通常のハンドセット通話を許可したりすることができる。このハンズフリー装置を用いれば、携帯電話機の位置を特定するために複数の無線センサ等を装備することなく、例えば、運転席に携帯電話機が持ち込まれたときはそれを検知し自動的にハンズフリー通話しかできなくしたり、又は運転席以外の席に持ち込まれたと検知したときは通常のハンドセット通話を許可する、という簡素で実用的な無線通話システムが実現できる。
【００１６】
請求項９に記載のハンズフリー装置は、位置特定手段は、携帯電話機の位置を特定した後は、無線通信手段に対して当該携帯電話機の位置に対応する分割された通信範囲を使用して無線通信を行わせるとともに、定期的に分割された領域ごとに車室内全域に対して携帯電話機と通信を試み、携帯電話機が移動していないかを確認することを特徴とする。
【００１７】
このように請求項９に記載のハンズフリー装置では、車室内に持ち込まれた携帯電話機の位置を特定した後は、その携帯電話機の位置に対応する分割された通信範囲でその携帯電話機とのみ通信を行いハンズフリー通話を実現する。その後、最初に携帯電話機の位置を特定した方法と同じ方法で、定期的に分割された領域ごとに車室内全域に対して携帯電話機と通信を試み、携帯電話機が移動していないかを確認する。これにより、例えば、最初は運転席に携帯電話機が持ち込まれてハンズフリー通話に設定された場合であっても、その後別の乗員がその携帯電話機を使うために移動させた場合には、それを検知して自動的にハンズフリー通話モードを解除し、通常のハンドセット通話が可能とすることができ、ユーザーにとって使い勝手の良いハンズフリー通話システムが実現できる。
【００１８】
また、上記の通信範囲を分割する手段としては、請求項１０に記載のハンズフリー装置では、無線通信手段は、一定の方向からの無線信号の感度が向上された指向性アンテナを、車室内全域をカバーするように複数配置し、位置特定手段は、複数の指向性アンテナからの受信信号を比較することにより携帯電話機の位置を特定している。これにより例えば、各座席方向に指向性を持ったアンテナを各座席分配置すれば、携帯電話機がどの座席に持ち込まれたか又は移動したかを特定することができる。
【００１９】
請求項１１に記載のハンズフリー装置は、無線通信手段は、Ｂｌｕｅｔｏｏｔｈ方式に基づく通信プロトコルに従って無線通信を行うことを特徴とする。Ｂｌｕｅｔｏｏｔｈ方式は、無線通信プロトコルの一種であり、通信回路の小型化・低消費電力化が可能であることから近年注目を集めている。このＢｌｕｅｔｏｏｔｈ方式に基づく無線通信を用いることにより、ハンズフリー装置を小型化し、消費電力を抑えることが可能となる。
【００２０】
また、請求項１２に記載のハンズフリー装置は、携帯電話機を認識するために携帯電話機の固有の識別番号を登録する登録手段と、位置特定手段が登録された携帯電話機を複数検出した場合は、その中から一つの携帯電話機を選択して通信を行う選択手段とを備えることを特徴とする。これにより、携帯電話機が車室内に複数持ち込まれた場合であっても、ハンズフリー装置はこれらを識別し、その中から一つの携帯電話機を選択して無線通信回線を確立し、その選択された携帯電話機とのみ無線通信をする。その選択方法としては、あらかじめ特定の携帯電話機の識別番号をハンズフリー装置側に登録しておき、その携帯電話機が車室内に持ち込まれた場合には自動的にその携帯電話機と無線通信回線を確立するものや、又は複数の登録された携帯電話機を検知した場合にはその中からユーザーがどの携帯電話機と無線通信を行うかを選択する方法などが考えられる。
【００２１】
さらに、請求項１３に記載のハンズフリー装置では、一旦一つの携帯電話機を選択した場合であっても、その後別の携帯電話機を選択し直してハンズフリーに設定することができる。別の携帯電話機に選択し直すには、一旦無線通信回線を切断し再度携帯電話機の探索を実施すれば良い。
【００２２】
請求項１４に記載のハンズフリー装置では、通信制御手段は、位置特定手段が選択された携帯電話機を運転席に検出したときはハンドセット通話を禁止してハンズフリー通話のみに制限し、運転席以外の席に検出したときはハンドセット通話を許可することを特徴とする。これにより、運転席の位置に携帯電話機を検知したときは、ドライバーがその携帯電話機を持っていると判断してハンズフリー通話でしか携帯電話機を使用できなくし、運転席以外の席で携帯電話機を検知したときは、ドライバー以外の乗員が持っていると判断して通常のハンドセット通話をすることができる。
【発明を実施するための最良の形態】
【００２３】
以下、本発明を実施するための形態について図面に基づいて説明する。
【００２４】
図１は本発明の実施の形態である携帯電話機とハンズフリー装置との無線通話システムの全体構成を示すブロック図である。
【００２５】
最初に携帯電話機２００の構成について説明する。携帯電話機２００は、無線部１０、音声入力部２０、ブルートゥース通信部３０及び制御部４０から構成される。無線部１０は、図示しない無線アンテナを有し、通信ネットワークを介して他の通信機（例えば携帯電話機）との間でデータ（音声データ）の送受信を行う。音声入出力部２０は、例えば信号処理用プロセッサから構成され、ユーザーが発話した音声の音声信号を図示しないマイクから取得し、その音声に対応する電気信号に変換する。また無線部１０からの受信される通話相手の音声に対応する電気信号を、音声に復元し図示しないスピーカへ出力する。
【００２６】
ブルートゥース通信部３０は、近距離通信通信方式の一種であるブルートゥース通信方式に基づいてハンズフリー装置３００との間で無線通信を行う。近距離無線通信方式は、１０ｍ程度の近距離にある端末機器同士を無線接続する通信方式であり、配線の簡素化を実現できる。特にブルートゥース通信方式はその通信部を小型化・低消費電力化を実現できるとして近年注目されている通信方式であり、ハンズフリー装置−携帯電話との無線接続以外にもノートパソコン同士を接続したり、ノートパソコンとプリンタを接続するという例も考えられる。このブルートゥース通信部３０は、変調器、復調器などから構成されハンズフリー装置３００へ信号を送信するときはこの変調器により所定の信号に変換し、ハンズフリー装置３００からの信号を受信したときはこの復調器により所定の信号に変換する。
【００２７】
無線部１０、音声入出力部２０及びブルートゥース通信部３０は制御部４０に接続され、制御部４０は、周知のＣＰＵ、ＲＯＭ及びＲＡＭから構成されており、ハンズフリー装置３００からの命令により携帯電話機２００をハンズフリー通話とハンドセット通話に切り替える。すなわち、携帯電話機２００をハンズフリー通話に設定したときは、無線部１０から受信した音声データは音声入出力部２０の図示しないスピーカから出力させないで、ブルートゥース通信部３０を介してハンズフリー装置３００へ送信する。また、音声入出力部２０の図示しないマイクからの音声入力を不能にし、ハンズフリー装置３００からブルートゥース通信部３０に送信された音声データを無線部１０を介して相手方の携帯電話機に送信する。
【００２８】
次にハンズフリー装置３００の構成について説明する。ハンズフリー装置３００は、制御部７０、メモリ１１０、音声変換部８０、マイク９０、スピーカ１００、ブルートゥース通信部５０及び無線アンテナ６０から構成される。
【００２９】
マイク９０は、携帯電話機２００がハンズフリー通話に設定されている場合において、音声をハンズフリー装置３００に入力する。また、スピーカ１００は、携帯電話機２００がハンズフリー通話に設定されている場合において、携帯電話機２００からの音声データを音声として出力する。このマイク９０とスピーカ１００は音声変換部８０に接続され、音声変換部８０は、例えば信号処理用プロセッサから構成されており、マイク９０から入力された音声をその音声に対応する電気信号に変換し、また携帯電話機２００から送信された音声に対応する電気信号を音声に復元しスピーカ１００へ出力する。
【００３０】
ブルートゥース通信部５０は、携帯電話機２００のブルートゥース通信部３０と同様に、携帯電話機２００へ送信すべき信号を所定の無線信号に変調して無線アンテナ６０を介して送信し、逆に携帯電話機２００から送信されてきた無線信号を無線アンテナ６０により受信し、この受信した信号を本来の信号に復調する。
【００３１】
無線アンテナ６０は、ブルートゥース通信部５０に接続され、携帯電話機２００へ信号を送信し、又は携帯電話機２００からの信号を受信する。この無線アンテナ６０は、特定の方向からの信号をよく感知する指向性を持ったアンテナ４つで構成され（指向性アンテナ６１、６２、６３、６４）、各指向性アンテナは車両の各座席に対応する領域内で無線信号を送受信する。例えば、図２に示すように、この無線アンテナ６０を車両の中心に配置すれば車両全域に対して無線エリアを確保できるので車室内の携帯電話機２００の有無を調べることができるとともに、各指向性アンテナに受信される信号強度を比較することにより携帯電話機２００がどの座席に有るのかを特定することができる。なお、図２に示す指向性アンテナ６０の装備例では車両の中心に装備されているが、車室内全域に対して無線領域をカバーでき、かつ各座席に対応する通信領域に分割できるのであれば、どこに無線アンテナ６０を装備してもよく（例えば、各指向性アンテナを各座席に真上に装備する等）、また、車両の大きさや座席の数により指向性アンテナの数を変えてもよい。
【００３２】
制御部７０は、周知のＣＰＵ、ＲＡＭ及びＲＯＭ等から構成され、携帯電話機２００の位置を探索するとともに、その探索した携帯電話機２００の位置によってハンズフリー通話の設定・解除を行う。携帯電話機の位置を探索するときは、制御部７０はブルートゥース通信部５０を用いて携帯電話機２００に対して呼び出し信号を送信する。そしてもし携帯電話機２００が車室内に有るのであれば、携帯電話機２００は前述の呼び出し信号を受信したときはハンズフリー装置３００に応答信号を送信する。この応答信号は、携帯電話機２００の固有の識別番号を有しており、制御部７０は、ブルートゥース通信部５０から応答信号を受け取ったときは周囲に携帯電話機２００が有るということを認識できる。このとき、各指向性アンテナ（指向性アンテナ６１、６２、６３、６４）ごとに前述の呼び出し信号送信、応答信号受信をし、それぞれの受信信号の強度を比較することにより携帯電話機２００がどの座席に有るのかを特定することができる。前述の方法により携帯電話機２００を認識した後、携帯電話機２００と無線回線を接続するときは、制御部７０はブルートゥース通信部５０を用いて携帯電話機２００へ向けて接続要求信号を送信する。このとき制御部７０は、携帯電話機２００の位置を認識できているので、その位置に対応する指向性アンテナから前述の接続要求信号を送信する。携帯電話機２００は、この接続要求信号を受信したときは、ハンズフリー装置３００に接続応答信号を送信し、制御部７０はブルートゥース通信部５０からこの接続応答信号を受け取ったときは携帯電話機２００との間で無線通信回線を確立する。以降、ハンズフリー装置３００は携帯電話機２００と１対１で無線通信を行う。なお、ハンズフリー装置３００と携帯電話機２００との間で無線回線が接続状態になった場合であっても、接続を維持する電力を抑えるために実際に無線通信を行わないとき（待機状態）は低消費電力モードに設定される。
【００３３】
携帯電話機２００をハンズフリー通話に設定するときは、制御部７０は携帯電話機２００にその制御信号をブルートゥース通信部５０を用いて送信する。携帯電話機２００の制御部４０は、この制御信号を受け取ったときは、前述のように携帯電話機２００をハンズフリー通話に設定する。携帯電話機２００がハンズフリー通話に設定されたときは、ハンズフリー装置３００の制御部７０は、携帯電話機２００から送られてくる音声信号を音声変換部８０で音声に変換してスピーカ１００に出力する。また、こちらからの発話した音声はマイク９０でハンズフリー装置３００に入力され、制御部７０は所定の電気信号に変換しブルートゥース通信部５０を用いて携帯電話機２００へ送信する。
【００３４】
携帯電話機２００の識別番号は、メモリ１１０にあらかじめ登録させておく。なお、その登録の方法としては、例えば携帯電話機２００の識別番号を直接ハンズフリー装置３００へ入力して登録する。その他、携帯電話機２００の識別番号が内臓されている電子カードをハンズフリー装置に装着して、ハンズフリー装置はそのカードから携帯電話機２００の識別番号を読み出して登録してもよい。これにより例えばブルートゥース通信部を有する他の携帯電話機が車室内に持ち込まれた場合であっても、制御部７０はメモリ１１０を参照することによりハンズフリー通話に設定すべき携帯電話機２００の位置を認識でき、自動的にこの携帯電話機２００と無線通信回線を接続することができる。また、複数の携帯電話機を登録しておき、登録した携帯電話機を複数検出したときは、ユーザーがその中から一つの携帯電話機を選択してハンズフリー通話に設定する。
【００３５】
以下に本実施形態におけるハンズフリー通話システムの動作を図３のフローチャートを用いて説明する。まず最初にステップＳ１０において携帯電話機の位置を探索する。ここで、ハンズフリー装置３００の電源をＯＮにさせたら自動的に探索を開始させたりエンジン始動に連動して開始させたり又はハンズフリー装置３００に探索開始スイッチを備えユーザーがそれを押して探索を開始させても良い。探索方法については、前述したように各指向性アンテナごとに携帯電話機２００との通信を試みることにより位置を特定する。そして、ステップＳ２０において携帯電話機２００が検出されなかったときはハンズフリー通話に設定すべき携帯電話機が車室内に持ち込まれなかったと判断する。一方、携帯電話機２００を検出したときは、ステップＳ３０へ処理を進める。
【００３６】
ステップＳ３０では、携帯電話機２００とハンズフリー装置３００との間でブルートゥース接続を行う。以降ハンズフリー装置３００は、携帯電話機２００と１対１で通信を行うために携帯電話機２００の位置に対応する指向性アンテナを用いる。なお、ブルートゥース通信機能を有する携帯電話機２００が複数車室内に持ち込まれたときは、前述のようにその中から一つの携帯電話機２００が選択されて接続されることとなる。なお、その選択の方法としては、例えば複数の携帯電話機が検出された旨をスピーカ等を介して報知するとともに、選択しない携帯電話機の電源をオフするよう指示する。これにより、ハンズフリー装置３００は、電源が継続して投入されている携帯電話機を選択したと認識できる。その他、ハンズフリー装置３００に表示部及びタッチスイッチを設け、検出された携帯電話機の電話番号を表示するなどしてタッチスイッチ操作によって選択するようにすることもできる。
【００３７】
ステップＳ４０では、ステップＳ３０でブルートゥース接続した携帯電話機２００が運転席に有るか否かを判定する。前述のように、各指向性アンテナ６１、６２、６３、６４への受信信号の強度を比較することにより判断する。そして、携帯電話機２００が運転席に無いと判定（否定判定）されるときは、ステップＳ６０へ処理を進め通常のハンドセット通話・ハンズフリー通話のどちらでも使用可能とする。ここでハンドセット・ハンズフリーのどちらで通話するかを選択する方法としては、例えば、こちらから携帯電話機２００で電話するときは普段どおりにハンドセットですることができるようにし、携帯電話機２００に電話がかかってきたときは、ハンズフリー装置３００に表示部及びハンズフリー開始スイッチ等を設け、携帯電話機２００への着信を表示部で知らせ、ハンズフリー開始スイッチを押したときはハンズフリー通話をし、携帯電話機２００に備え付けられている通話開始スイッチ等を押したときはハンドセットで通話する。その他、例えばハンズフリー装置３００に表示部及びハンズフリー・ハンドセット選択スイッチを設け、ステップＳ４０で携帯電話機が運転席以外で検出されたときは、表示部又はスピーカでその旨を知らせるとともにハンズフリー・ハンドセット通話のどちらか選択するように催促して選択スイッチの操作で選択した通話モードに以降制限してもよい。  
【００３８】
これにより、例えば、ドライバー以外の乗員が携帯電話機２００を持ち込んだ場合であっても、その乗員はいつもどおりにその携帯電話機２００を使うことができる。また、運転席以外で携帯電話機２００が検出された場合であってもあえてハンズフリーで通話をすることもでき、例えば、他の乗員がいない場合にドライバーが携帯電話機２００を助手席に置いて運転するようなときであってもハンズフリーで通話することができる。一方ステップＳ４０において携帯電話機２００が運転席に有ると判定される場合（肯定判定）は、ステップＳ５０へ処理を進める。
【００３９】
ステップＳ５０では、車両が走行中であるか否かが判定される。判定方法としては、エンジン始動で車両走行中であるとしたり、又は実際に車速センサーを検知して判定する方法などが考えられる。ここで、車両走行中ではない（否定判定）と判定される場合は、ステップＳ６０へ処理を進め通常のハンドセット通話・ハンズフリー通話のどちらでも使用可能となる。どちらで通話するかを選択する方法は前述と同様に携帯電話機２００への着信ごとにユーザーがどちらのモードで通話するのか選択する方法や、あらかじめどちらのモードで通話するのかを選択してもよい。これにより、運転席に携帯電話２００が持ち込まれた場合であっても、車両が動いていないときには通常のハンドセット通話が可能となる。また、車両が動いていないときであってもあえてハンズフリーで通話することもでき、例えば、交差点で信号待ちで一時的に車両が止まっているときに電話がかかってきたとしても、ドライバーはハンズフリーで通話をすることができる。一方ステップＳ５０において車両が走行中であると判定される場合（肯定判定）は、ステップＳ７０へ処理を進み、制御部７０、制御部４０は携帯電話機２００をハンズフリーでしか通話できなくする。
【００４０】
ステップＳ８０では、携帯電話機２００の位置を再探索するか否かを判定する。最探索するタイミングとしては、タイマーを設定して定期的に自動で再探索を行ったり、又はハンズフリー装置３００に探索開始スイッチ等を設け、ユーザーがこのスイッチを押すことにより再探索を行わせても良い。ここで、最探索を行わない（否定判定）ときは、ステップＳ４０へ戻り、携帯電話機２００が運転席に有るか否かが判定される。なお、このステップＳ４０では、携帯電話機２００の再探索を行っていないので前に探索した携帯電話機２００の位置情報が維持される。つまり、前に携帯電話機２００が運転席に有ると判定されたときはこのステップＳ４０においても携帯電話機２００は運転席に有ると判定（肯定判定）され、逆に前に運転席には無いと判定されたときはこのステップＳ４０においても運転席に無い（否定判定）とされる。これにより、一度携帯電話機２００が運転席以外に持ち込まれてハンドセット通話・ハンズフリー通話のどちらでも使用可能に設定されたときは、携帯電話機２００を再探索するまではこの状態が維持されることになり、一方携帯電話機２００が運転席に持ち込まれてかつ車両走行中であるとしてハンズフリー通話に設定された場合であっても、その後車両を停止したときはステップＳ６０の処理によりハンドセットで通話が可能となる。
【００４１】
ステップＳ８０において、携帯電話機２００の位置を再探索するとき（肯定判定）は、ステップＳ１０に戻る。例えばタイマーを設定し定期的に再探索するようにしておけば、最初に携帯電話機２００が運転席に持ち込まれてハンズフリー通話に設定された場合であっても（ステップＳ７０）、その後他の乗員がその携帯電話機２００を使うために位置を移動させたときは、自動的にハンドセット通話が可能となるのである（ステップＳ６０）。また、ブルートゥース通信機能を備えた携帯電話機を複数車室内に持ち込まれた場合に、前述したようにその中から一つの携帯電話機を選択しハンズフリー通話に設定した場合であっても、ステップＳ８０で携帯電話機２００を再探索することにより、別の携帯電話機２００をハンズフリー通話に設定しなおすこともできる。
【００４２】
なお、本実施形態では携帯電話機２００の位置を検出するために複数の指向性アンテナ６１、６２、６３、６４を有する無線アンテナ６０を用い、携帯電話機２００の位置を検出するときは各指向性アンテナを制御部７０で切り替えているが、図４に示すように一つの指向性アンテナを機械的に各座席方向に指向性が向けられるように回転させて携帯電話機２００の位置を探索しても良い。
【００４３】
なお、本実施形態では、携帯電話機２００とハンズフリー装置３００との無線通信方式としてブルートゥース通信方式を用いているが、赤外線通信手段などの他の方式であってもよい。
【図面の簡単な説明】
【００４４】
【図１】本実施形態に係わる、携帯電話機２００とハンズフリー装置３００との無線通話システムの全体構成を示すブロック図である。
【図２】本実施形態に係わる、ハンズフリー装置３００と無線アンテナ６０（指向性アンテナ６１、６２、６３、６４）の車両への搭載例を示す図である。
【図３】本実施形態に係わる、ハンズフリー通話システムの動作を示すフローチャートである。
【図４】本実施形態に係わる、ハンズフリー装置３００と無線アンテナ６０の車両への搭載例を示す図である。
【符号の説明】
【００４５】
２００  携帯電話機
１０    無線部
２０    音声入出力部
３０    ブルートゥース通信部
４０    制御部
３００  ハンズフリー装置
６０    無線アンテナ
６１    指向性アンテナ
６２    指向性アンテナ
６３    指向性アンテナ
６４    指向性アンテナ
５０    ブルートゥース通信部
７０    制御部
８０    音声切り替え部
９０    マイク
１００  スピーカ
１１０  メモリ
【図１】
2005354312.tif 000003
【図２】
2005354312.tif 000004
【図３】
2005354312.tif 000005
【図４】
2005354312.tif 000006